(57)【要約】【課題】  画像処理装置における課金管理の利便性を向上する。【解決手段】  制御部１１のＣＰＵ１１１は、ユーザＩＤを受け付けて、受け付けたユーザＩＤに基づいて登録ユーザであるか否かを判別する個人認証部１１１ａと、課金金額を分類する区分である所定数の課金区分の中から１の課金区分を受け付ける区分受付部１１１ｂと、画像処理結果に基づいて課金金額を設定し、設定された課金金額を区分受付部１１１ｂによって受け付けられた課金区分に応じて分類して集計する課金部１１１ｅとを備えている。【選択図】      図３
2006333366.tif 000002
【特許請求の範囲】
【請求項１】
実行された画像処理に応じてユーザに対して課金する画像処理装置であって、
ユーザの識別情報を受け付けて、受け付けた識別情報に基づいて予め登録されたユーザである登録ユーザであるか否かを判別する個人認証手段と、
前記個人認証手段によって登録ユーザであると判別された場合に、課金金額を分類する区分である所定数の課金区分の中から１の課金区分を受け付ける区分受付手段と、
実行された画像処理に応じて課金金額を求め、求められた課金金額を前記区分受付手段によって受け付けられた課金区分に応じて分類して集計する課金手段とを備えることを特徴とする画像処理装置。
【請求項２】
複数のクライアント端末装置と通信可能に接続され、
前記クライアント端末装置から、記録紙に印刷する画像情報及びその画像情報を記録紙に印刷する条件である印刷条件情報を受け付ける印刷受付手段と、
前記印刷受付手段によって受け付けられた印刷条件情報に従って、印刷を行う印刷手段とを備え、
前記課金手段は、前記印刷条件情報に基づいて課金金額を設定することを特徴とする請求項１に記載の画像処理装置。
【請求項３】
ユーザの識別情報を少なくとも１の課金区分と対応付けて格納する課金区分記憶手段と、
前記個人認証手段によって受け付けられたユーザの識別情報に対応する課金区分を前記課金区分記憶手段から読み出して、外部から視認可能に表示する表示手段とを備え、
前記区分受付手段は、前記表示手段によって表示された課金区分の選択入力を受け付けることにより課金区分を受け付けることを特徴とする請求項１又は２に記載の画像処理装置。
【請求項４】
課金区分は、業務に関して設定された区分である業務区分であることを特徴とする請求項１〜３のいずれかに画像処理装置。
【請求項５】
前記画像処理装置は、複写機、スキャナ、ファクシミリ、インターネットファクシミリ及びネットワークプリンタの少なくとも２以上の機能を有する複合機であることを特徴とする請求項１〜４のいずれかに記載の画像処理装置。
【発明の詳細な説明】
【技術分野】
【０００１】
本発明は、実行された画像処理に応じてユーザに対して課金する画像処理装置に関するものである。特に、複写機、スキャナ、ファクシミリ、インターネットファクシミリ及びネットワークプリンタの少なくとも２以上の機能を有する複合機に関するものである。
【背景技術】
【０００２】
複写機、スキャナ、ファクシミリ、インターネットファクシミリ及びネットワークプリンタの少なくとも２以上の機能を有する複合機が普及し始めている。複数の機能を有する複合機では、課金処理が複雑となるため、適正な課金処理を行うことが困難となる。
【０００３】
そこで、複数の機能を有する複合機に対する課金処理に関して種々の提案がなされている。例えば、複写機、スキャナ、ファクシミリ、インターネットファクシミリ及びネットワークプリンタ等の各々の機能別にカウンタを設け、記録紙等の使用状況の推移、あるいは、機能毎の使用状況について、ビジュアル的に表示する複合機が提案されている（特許文献１参照）。
【特許文献１】特開平１０−２２４５９３号公報
【発明の開示】
【発明が解決しようとする課題】
【０００４】
このように、記録紙等の使用状況の推移、あるいは、機能毎の使用状況について、ビジュアル的に表示する複合機では、記録紙を含めた資材管理、課金管理が行いやすくなる。しかしながら、課金管理において、機能毎の使用状況に応じた課金では充分とは言い難い場合がある。例えば、法律事務所等では、受任した案件毎に課金情報を収集したいとの要望がある。
【０００５】
本発明は、上記課題に鑑みてなされたもので、課金管理において利便性に優れた画像処理装置を提供することを目的とするものである。
【課題を解決するための手段】
【０００６】
請求項１に記載の画像処理装置は、実行された画像処理に応じてユーザに対して課金する画像処理装置であって、ユーザの識別情報を受け付けて、受け付けた識別情報に基づいて予め登録されたユーザである登録ユーザであるか否かを判別する個人認証手段と、前記個人認証手段によって登録ユーザであると判別された場合に、課金金額を分類する区分である所定数の課金区分の中から１の課金区分を受け付ける区分受付手段と、実行された画像処理に応じて課金金額を求め、求められた課金金額を前記区分受付手段によって受け付けられた課金区分に応じて分類して集計する課金手段とを備えることを特徴としている。
【０００７】
上記の構成によれば、個人認証手段によって、ユーザの識別情報が受け付けられて、受け付けた識別情報に基づいて予め登録されたユーザである登録ユーザであるか否かが判別される。そして、個人認証手段により登録ユーザであると判別された場合に、区分受付手段によって、課金金額を分類する区分である所定数の課金区分の中から１の課金区分が受け付けられる。更に、課金手段によって、実行された画像処理に応じて課金金額が求められ、求められた課金金額が区分受付手段により受け付けられた課金区分に応じて分類されて集計される。
【０００８】
従って、画像処理に応じた課金金額が、課金金額を分類する区分である課金区分に応じて分類されて集計されるため、課金区分を適正に設定すると、所望する課金区分に分類されて集計され得るので、課金管理の利便性が向上される。
【０００９】
請求項２に記載の画像処理装置は、複数のクライアント端末装置と通信可能に接続され、前記クライアント端末装置から、記録紙に印刷する画像情報及びその画像情報を記録紙に印刷する条件である印刷条件情報を受け付ける印刷受付手段と、前記印刷受付手段によって受け付けられた印刷条件情報に従って、印刷を行う印刷手段とを備え、前記課金手段が、前記印刷条件情報に基づいて課金金額を設定することを特徴としている。
【００１０】
上記の構成によれば、印刷受付手段によって、クライアント端末装置から、記録紙に印刷する画像情報及びその画像情報を記録紙に印刷する条件である印刷条件情報が受け付けられる。そして、印刷手段によって、印刷受付手段によって受け付けられた印刷条件情報に従って、印刷が行われる。また、課金手段によって、印刷条件情報に基づいて課金金額が設定される。
【００１１】
従って、クライアント端末装置から受け付けられた印刷条件情報に従って、印刷が行われ、その印刷条件情報に基づいて課金金額が設定されるため、ネットワークプリンタにおいて適正な課金金額が設定される。
【００１２】
請求項３に記載の画像処理装置は、ユーザの識別情報を少なくとも１の課金区分と対応付けて格納する課金区分記憶手段と、前記個人認証手段によって受け付けられたユーザの識別情報に対応する課金区分を前記課金区分記憶手段から読み出して、外部から視認可能に表示する表示手段とを備え、前記区分受付手段が、前記表示手段によって表示された課金区分の選択入力を受け付けることにより課金区分を受け付けることを特徴としている。
【００１３】
上記の構成によれば、課金区分記憶手段に、ユーザの識別情報が少なくとも１の課金区分と対応付けて格納されており、表示手段によって、個人認証手段により受け付けられたユーザの識別情報に対応する課金区分が課金区分記憶手段から読み出されて、外部から視認可能に表示される。そして、区分受付手段によって、表示手段により表示された課金区分の選択入力が受け付けられることにより課金区分が受け付けられる。
【００１４】
従って、ユーザの識別情報に対応する課金区分が外部から視認可能に表示され、表示された課金区分の選択入力が受け付けられることにより課金区分が受け付けられるため、容易且つ正確に課金区分が受け付けられる。
【００１５】
請求項４に記載の画像処理装置は、課金区分が、業務に関して設定された区分である業務区分であることを特徴としている。
【００１６】
上記の構成によれば、課金区分が、業務に関して設定された区分である業務区分であるため、業務区分毎に課金金額が集計され、利便性が向上される。
【００１７】
請求項５に記載の画像処理装置は、前記画像処理装置が、複写機、スキャナ、ファクシミリ、インターネットファクシミリ及びネットワークプリンタの少なくとも２以上の機能を有する複合機であることを特徴としている。
【００１８】
上記の構成によれば、画像処理装置が、複写機、スキャナ、ファクシミリ、インターネットファクシミリ及びネットワークプリンタの少なくとも２以上の機能を有する複合機であるため、課金管理について利便性に優れた複合機が実現される。
【発明の効果】
【００１９】
請求項１に記載の発明によれば、画像処理に応じた課金金額が、課金金額を分類する区分である課金区分に応じて分類されて集計されるため、課金区分を適正に設定すると、所望する課金区分に分類されて集計され得るので、課金管理の利便性を向上できる。
【００２０】
請求項２に記載の発明によれば、クライアント端末装置から受け付けられた印刷条件情報に従って、印刷が行われ、その印刷条件情報に基づいて課金金額が設定されるため、ネットワークプリンタにおいて適正な課金金額を設定できる。
【００２１】
請求項３に記載の発明によれば、ユーザの識別情報に対応する課金区分が外部から視認可能に表示され、表示された課金区分の選択入力が受け付けられることにより課金区分が受け付けられるため、容易且つ正確に課金区分を受け付けることができる。
【００２２】
請求項４に記載の発明によれば、課金区分が、業務に関して設定された区分である業務区分であるため、業務区分毎に課金金額が集計され、利便性を向上できる。
【００２３】
請求項５に記載の発明によれば、画像処理装置が、複写機、スキャナ、ファクシミリ、インターネットファクシミリ及びネットワークプリンタの少なくとも２以上の機能を有する複合機であるため、課金管理について利便性に優れた複合機を実現できる。
【発明を実施するための最良の形態】
【００２４】
本実施形態においては、画像処理装置が、複写機、スキャナ、ファクシミリ、インターネットファクシミリ及びネットワークプリンタの機能を有する複合機である場合について説明する。図１は、本発明に係る複合機と他の装置との接続状態の一例を示す接続図である。
【００２５】
複合機１は、公衆電話回線２１を介して複数のファクシミリ２と通信可能に接続されている。また、複合機１は、インターネット（ＷＷＷ）３１を介して複数のクライアント端末装置３と通信可能に接続されている。更に、複合機１は、ＬＡＮ（Ｌｏｃａｌ  Ａｒｅａ  Ｎｅｔｗｏｒｋ）４１を介して複数のクライアント端末装置４と通信可能に接続されている。
【００２６】
複合機１がスキャナとして機能する場合には、複合機１は、画像が形成された原稿から後述するスキャナ部１２（図２参照）によって画像を読み取って画像データを生成し、生成された画像データを後述するインターフェイス部１９（図２参照）及びＬＡＮ４１を介してクライアント端末装置４へに送信するものである。
【００２７】
複合機１がファクシミリとして機能する場合には、複合機１は、公衆電話回線２１を介して複数のファクシミリ２と画像データの通信を行い、画像データを送信する際には、後述するスキャナ部１２から原稿の画像データを読み込み、後述するファクシミリ通信部１７（図２参照）及び公衆電話回線２１を介して画像データをファクシミリ２に送信し、画像データを受信する際には、ファクシミリ２からの画像データをファクシミリ通信部１７及び公衆電話回線２１を介して受信し、後述するプリンタ部１３によって記録用紙上に画像を形成するものである。
【００２８】
複合機１がインターネットを介して通信するインターネットファクシミリとして機能する場合には、複合機１は、インターネット３１を介して複数のクライアント端末装置３と画像データの通信を行い、画像データを送信する際には、後述するスキャナ部１２（図２参照）から原稿の画像データを読み込み、後述するインターフェイス部１８（図２参照）及びインターネット３１を介して画像データをクライアント端末装置３に送信し、画像データを受信する際には、クライアント端末装置３からの画像データをインターフェイス部１８及びインターネット３１を介して受信し、後述するプリンタ部１３（図２参照）によって記録用紙上に画像を形成するものである。
【００２９】
複合機１がネットワークプリンタとして機能する場合には、複合機１は、ＬＡＮ４１及びインターフェイス部１９（図２参照）を介してクライアント端末装置４から画像データを受信し、後述するプリンタ部１３（図２参照）によって記録用紙上に画像を形成するものである。なお、複合機１が複写機として機能する場合には、複合機１は、後述するスキャナ部１２（図２参照）から原稿の画像データを読み込み、後述するプリンタ部１３によって記録用紙上に画像を形成するものである。
【００３０】
図２は、複合機１の一例を示す構成図である。複合機１は、複合機１全体の動作を制御する制御部１１と、原稿に印刷（又は記載）された画像を読み取り画像データを形成するスキャナ部１２と、画像データから画像を記録用紙に形成するプリンタ部１３と、タッチパネル等からなりユーザの操作を受け付ける操作部１４（操作表示手段の一部に相当する）と、ＬＣＤ（Ｌｉｑｕｉｄ  Ｃｒｙｓｔａｌ  Ｄｉｓｐｌａｙ）等からなり操作のガイダンス情報等を表示する表示部１５（表示手段の一部に相当する）と、画像データを格納する画像メモリ１６と、ファクシミリ２との画像データの送受信処理を行うファクシミリ通信部１７と、クライアント端末装置３との画像データの送受信処理を行うインターフェイス部１８と、クライアント端末装置４との画像データの送受信処理を行うインターフェイス部１９とを備えている。
【００３１】
制御部１１は、ＣＰＵ（Ｃｅｎｔｒａｌ  Ｐｒｏｃｅｓｓｉｎｇ  Ｕｎｉｔ）、表示部１５に表示される各種の画像情報及び制御プログラム等を格納するＲＯＭ（Ｒｅａｄ  Ｏｎｌｙ  Ｍｅｍｏｒｙ）、処理データを一時的に格納するＲＡＭ（Ｒａｎｄｏｍ  Ａｃｃｅｓｓ  Ｍｅｍｏｒｙ）等を備え、操作部１４からユーザの操作情報を受け付けて複合機１全体の動作を制御するものである。
【００３２】
スキャナ部１２は、原稿載置部（図示省略）にセットされた原稿を読み取り、ライン単位で画像信号に変換し、この画像信号に所定の信号処理（レベル補正、γ補正、Ａ／Ｄ変換等）を施して、順次制御部１１に出力することによって、スキャナ機能を発揮するものである。
【００３３】
プリンタ部１３は、プリント条件に従って、画像データを記録用紙にプリントアウトすることによってプリンタ機能（又はコピー機能）を発揮するものである。このプリンタ部１３は、例えば、レーザプリンタ等からなり、画像データで変調されたレーザ光を感光体に照射して当該画像データからなる画像の潜像を形成するとともに、この潜像にトナーを静電的に付着して顕在化し、この顕像を記録用紙に転写して画像を形成するものである。
【００３４】
操作部１４は、例えば、テンキー、タッチパネル等からなり、ユーザの操作を受け付けるものである。このタッチパネルは公知の物が採用可能である。例えば、タッチパネルは、長方形状をした薄層体で、縦横にそれぞれ所定ピッチで線状の透明材からなる感圧素材を配列したものを透明カバーで被覆する等により構成されたもので、表示部１５の上面に貼付されている。そして、タッチパネルは表示部１５の画面に表示される選択などを促すボタンのアドレスと押圧位置とからいずれのボタンが指示されたかが判定し得るようにしている。
【００３５】
表示部１５は、ＬＣＤ及びＬＥＤ（Ｌｉｇｈｔ  Ｅｍｉｔｔｅｄ  Ｄｉｏｄｅ）等から構成され、公衆電話回線２１の接続状態、画像情報等の送受信状態等の各種状態や画像データの送信先の情報（ＦＡＸ  Ｎｏ．）等を文字情報、画像情報でＬＣＤに表示するとともに、通信エラーの有無及びメンテナンスの要否等をＬＥＤに表示するものである。
【００３６】
画像メモリ１６は、画像データ等を格納するものであって、例えば、Ａ４サイズの標準原稿に対応する画像データを多数枚（ここでは、略１００枚）記憶することができる大容量メモリである。
【００３７】
ファクシミリ通信部１７は、複合機１がファクシミリとして機能する場合に、公衆電話回線２１を介してファクシミリ２と画像データの送受信処理を行うものであって、符号化／復号化部１７１、変復調部１７２及び網制御部１７３を備えている。符号化／復号化部１７１は、送信すべき画像データの圧縮及び符号化を行うとともに、受信した画像データの伸長及び復号化を行うものである。変復調部１７２は、圧縮／符号化された画像データの音声信号への変調及び受信した信号（音声信号）の画像データへの復調を行うものである。網制御部１７３は、ＮＣＵ（Ｎｅｔｗｏｒｋ  Ｃｏｎｔｒｏｌ  Ｕｎｉｔ）に相当し、送受信相手であるファクシミリ２との公衆電話回線２１の接続を制御するものである。
【００３８】
インターフェイス部１８は、複合機１がインターネットファクシミリとして機能する場合に、クライアント端末装置３との画像データの送受信処理を行うものである。インターフェイス部１９は、複合機１がネットワークプリンタとして機能する場合に、クライアント端末装置４との画像データ等の送受信処理を行うものである。
【００３９】
図３は、制御部１１の一例を示す機能構成図である。制御部１１のＣＰＵ１１１は、機能的に、ユーザの識別情報（ここでは、ユーザＩＤである）を受け付けて、受け付けた識別情報に基づいて予め登録されたユーザである登録ユーザであるか否かを判別する個人認証部１１１ａ（個人認証手段に相当する）と、課金金額を分類する区分である所定数の課金区分の中から１の課金区分を受け付ける区分受付部１１１ｂ（区分受付手段に相当する）と、記録紙に印刷する画像情報及びその画像情報を記録紙に印刷する条件である印刷条件情報を受け付ける印刷受付部１１１ｃ（印刷受付手段に相当する）と、受け付けられた印刷条件情報に従って印刷を行う印刷制御部１１１ｄ（印刷手段に相当する）と、実行された画像処理に応じて課金金額を求める課金部１１１ｅ（課金手段に相当する）とを備えている。
【００４０】
制御部１１のＲＡＭ１１２は、機能的に、登録ユーザの情報を格納する登録情報記憶部１１２ａと、ユーザの識別情報を少なくとも１の課金区分と対応付けて格納する課金区分記憶部１１２ｂとを備えている。
【００４１】
ここでは、ＣＰＵ１１１が、ＲＯＭ等に予め格納された制御プログラムを読み出して実行することにより、個人認証部１１１ａ、区分受付部１１１ｂ、印刷受付部１１１ｃ、印刷制御部１１１ｄ、課金部１１１ｅ、登録情報記憶部１１２ａ及び課金区分記憶部１１２ｂを含む機能部として機能するものである。
【００４２】
また、ＲＡＭ１１２、ＲＯＭに格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ、ＤＶＤ、半導体メモリ等である。
【００４３】
個人認証部１１１ａは、操作部１４及び表示部１５を介してユーザＩＤを受け付けて、受け付けたユーザＩＤが、登録済みのユーザである登録ユーザとして登録情報記憶部１１２ａに格納されているユーザＩＤと一致するか否かを判別するものである。また、ここでは、ユーザＩＤに対応付けてパスワード情報も予め登録されて、登録情報記憶部１１２ａに格納されており、個人認証部１１１ａは、操作部１４及び表示部１５を介してユーザＩＤとパスワードとを受け付けて、ユーザＩＤ及びパスワードが登録情報記憶部１１２ａに格納された情報と一致するか否かによって登録ユーザであるか否かを判定するものである。
【００４４】
区分受付部１１１ｂは、個人認証部１１１ａによって登録ユーザであると判別された場合に、課金区分記憶部１１２ｂに格納された所定数の課金区分を読み出して、読み出した所定数の課金区分を表示部１５に選択可能に表示し、操作部１４を介して、表示された所定数の課金区分から１の課金区分を受け付けるものである。
【００４５】
印刷受付部１１１ｃは、クライアント端末装置４から、記録紙に印刷する画像情報及びその画像情報を記録紙に印刷する条件である印刷条件情報を受け付けるものである。
【００４６】
印刷制御部１１１ｄは、印刷受付部１１１ｃによって受け付けられた画像情報を、印刷受付部１１１ｃによって受け付けられた印刷条件情報に従って記録紙上に印刷を行うべく、プリンタ部１３を制御するものである。
【００４７】
課金部１１１ｅは、印刷制御部１１１ｄによる前記印刷条件情報に基づいて課金金額を設定し、設定された課金金額を区分受付部１１１ｂによって受け付けられた課金区分に応じて分類して集計するものである。より具体的には、区分受付部１１１ｂによって受け付けられた課金区分毎に積算されるものである。
【００４８】
課金部１１１ｅによって設定される課金金額は、機能毎に予め設定されているものであり、例えば、複合機１が、複写機又はネットワークプリンタとして機能する場合には、１枚印刷することに対して５円だけ課金され、スキャナとして機能する場合には、１枚の原稿を読み込むことに対して３円だけ課金され、ファクシミリとして機能する場合には、１枚の原稿を読み込んで送信することに対して１０円だけ課金され、インターネットファクシミリとして機能する場合には、１つの画像データを送信することに対して７円だけ課金されるのである。また、課金金額を、カラー画像として印刷するか否か（モノクロであるか）、及び、印刷される記録紙のサイズ等の種々の条件が反映された課金金額が設定されている形態でもよい。
【００４９】
登録情報記憶部１１２ａは、ユーザＩＤをパスワードと対応付けて格納するものである。課金区分記憶部１１２ｂは、所定数の課金区分をユーザＩＤと対応付けて格納するものである。
【００５０】
図４は、課金区分記憶部１１２ｂに格納された課金区分及びユーザＩＤの一例を示す図表である。以下の説明においては、課金区分が業務に関して設定された区分である業務区分であり、具体的には、ここでは、複合機１が法律事務所に配設されている場合について説明するものとし、課金区分は弁護士等が担当する案件を識別する案件番号である。
【００５１】
図では、左欄にユーザＩＤが表記され、右欄にユーザＩＤに対応する案件番号が表記されている。例えば、ユーザＩＤが「Ａ」であるユーザ（ここでは、弁護士）は、案件番号が「１」と「３」との案件を担当していることを示している。すなわち、図に示す対応表は、複合機１が配設されている法律事務所に所属する各弁護士が、それぞれ、どの案件を担当しているかを示しているのである。
【００５２】
図５は、制御部１１の動作を説明するフローチャートの一例である。まず、個人認証部１１１ａによって、ユーザＩＤが受け付けられたか否かの判定が行われる（ステップＳ１０１）。ユーザＩＤが受け付けられていないと判定された場合（ステップＳ１０１でＮＯ）には、処理が待機状態とされる。ユーザＩＤが受け付けられたと判定された場合（ステップＳ１０１でＹＥＳ）には、個人認証部１１１ａによって、受け付けられたユーザＩＤが登録済みか否かの判定が行われる（ステップＳ１０３）。
【００５３】
登録済みではないと判定された場合（ステップＳ１０３でＮＯ）には、処理が終了される。登録済みであると判定された場合（ステップＳ１０３でＹＥＳ）には、個人認証部１１１ａによって、パスワードが受け付けられたか否かの判定が行われる（ステップＳ１０５）。パスワードが受け付けられていないと判定された場合（ステップＳ１０５でＮＯ）には、処理が待機状態とされる。パスワードが受け付けられてたと判定された場合（ステップＳ１０５でＹＥＳ）には、個人認証部１１１ａによって、受け付けられたパスワードが正しい（＝登録されたパスワードと一致する）か否かの判定が行われる（ステップＳ１０７）。
【００５４】
パスワードが正しくないと判定された場合（ステップＳ１０７でＮＯ）には、処理が終了される。パスワードが正しいと判定された場合（ステップＳ１０７でＹＥＳ）には、区分受付部１１１ｂによって、ステップＳ１０１で受け付けられたユーザＩＤに対応する案件番号が課金区分記憶部１１２ｂから読み出されて、表示部１５に表示される（ステップＳ１０９）。そして、区分受付部１１１ｂによって、操作部１４を介して、表示部１５に表示された案件番号から１の案件番号が受け付けられたか否かの判定が行われる（ステップＳ１１１）。
【００５５】
１の案件番号が受け付けられていないと判定された場合（ステップＳ１１１でＮＯ）には、処理が待機状態とされる。１の案件番号が受け付けられたと判定された場合（ステップＳ１１１でＹＥＳ）には、印刷受付部１１１ｃ等によって印刷処理、スキャナ処理等の画像処理の指示が受け付けられる（ステップＳ１１３）。例えば、印刷受付部１１１ｃによって、クライアント端末装置４から印刷指示が受け付けられる。そして、印刷制御部１１１ｄ等によって、ステップＳ１１３で受け付けられた画像処理が実行される（ステップＳ１１５）。例えば、印刷制御部１１１ｄによって、印刷受付部１１１ｃによりクライアント端末装置４から受け付けられた印刷指示に従って印刷出力処理が行われる。
【００５６】
そして、課金部１１１ｅによって、ステップＳ１１５で実行された印刷制御部１１１ｄによる前記印刷条件情報に基づいて課金金額が求められる（ステップＳ１１７）。次いで、設定された課金金額が、区分受付部１１１ｂによってステップＳ１１１で受け付けられた課金区分に応じて（ここでは、案件番号毎に）分類して積算され（ステップＳ１１９）、処理が終了される。
【００５７】
図６は、図５に示すフローチャートのステップＳ１０１、１１１で、それぞれ、表示部１５に表示されるユーザ受付画面、案件選択画面の画面図の一例である。（ａ）に示すユーザ受付画面５００には、画面左側に、ユーザＩＤを入力する場合に押下されるユーザＩＤボタン５０１と、パスワードを入力する場合に押下されるパスワードボタン５０２とが表示され、画面中央部に、テンキー等の操作部１４を介して入力されたユーザＩＤを表示するユーザＩＤ表示部５０１ａと、テンキー等の操作部１４を介して入力されたパスワードを表示するパスワード表示部５０２ａとが表示され、更に、画面右側に、テンキー等の操作部１４からのユーザＩＤ又はパスワードの入力を確定する場合に押下されるエンターボタン５０３と、テンキー等からのユーザＩＤ又はパスワードの入力をキャンセルする場合に押下されるキャンセルボタン５０４とが表示されている。
【００５８】
ユーザは、ユーザＩＤボタン５０１を押下して、テンキー等の操作部１４を介してユーザＩＤを入力し、エンターボタン５０３を押下することによってユーザＩＤの入力が確定される。そして、個人認証部１１１ａによって、受け付けられたユーザＩＤが登録済みであると判定された場合には、パスワード表示部５０２ａが入力可能な状態とされ、ユーザは、テンキー等の操作部１４を介してパスワードを入力し、エンターボタン５０３を押下することによってパスワードの入力が確定されるのである。
【００５９】
（ｂ）に示す案件選択画面５２０には、画面左側に、ユーザＩＤに対応する案件番号を表示する案件表示部５２１と、案件表示部５２１の右側に、案件表示部５２１に表示された案件から１の案件を選択する場合に押下される案件選択ボタン５２２と、画面右側に、案件の選択を確定する場合に押下されるエンターボタン５２３と、案件の選択をキャンセルする場合に押下されるキャンセルボタン５２４とが表示されている。
【００６０】
区分受付部１１１ｂによって、ユーザ受付画面５００を介して入力されたユーザＩＤに対応する案件番号が案件表示部５２１に表示され、ユーザは、案件選択ボタン５２２を押下して、１の案件番号を選択し、エンターボタン５２３を押下することによって案件番号の選択が確定されるのである。
【００６１】
ここで、案件選択ボタン５２２は、現在選択されている案件の上側の案件番号を選択する場合に押下される上案件選択ボタン５２２ａと、現在選択されている案件の下側の案件番号を選択する場合に押下される下案件選択ボタン５２２ｂとからなり、ユーザは、上案件選択ボタン５２２ａ及び下案件選択ボタン５２２ｂを押下して、案件番号を選択することが可能である。
【００６２】
このようにして、画像処理に応じた課金金額が、課金金額を分類する区分である課金区分（ここでは、案件番号）に応じて分類されて集計されるため、課金区分を適正に設定すると、所望する課金区分に分類されて集計され得るので、課金管理の利便性が向上される。
【００６３】
また、クライアント端末装置４から受け付けられた印刷条件情報に従って、印刷が行われ、その印刷条件情報に基づいて課金金額が設定されるため、ネットワークプリンタにおいて適正な課金金額が設定される。
【００６４】
更に、ユーザの識別情報（ここではユーザＩＤ）に対応する課金区分（ここでは、案件番号）が外部から視認可能に表示され（図６（ｂ）参照）、表示された課金区分（ここでは、案件番号）の選択入力が受け付けられることにより課金区分が受け付けられるため、容易且つ正確に課金区分が受け付けられる。
【００６５】
加えて、課金区分が、業務に関して設定された区分である業務区分（ここでは、案件番号）であるため、業務区分毎に課金金額が集計され、利便性が向上される。
【００６６】
なお、本発明は、以下の形態にも適用可能である。
【００６７】
（Ａ）本実施形態では、画像処理装置が複写機、スキャナ、ファクシミリ、インターネットファクシミリ及びネットワークプリンタの機能を有する複合機１である場合について説明したが、複写機、ファクシミリ、インターネットファクシミリ及びネットワークプリンタの内、少なくともいずれか１つの機能を有する画像処理装置である形態でもよい。
【００６８】
（Ｂ）本実施形態では、課金区分が案件番号である場合について説明したが、その他の業務に関して設定された区分である業務区分である形態でもよい。例えば、業務が複数のプロジェクトからなる場合には、プロジェクト区分でもよい。この場合には、プロジェクト毎に課金情報が集計されることになる。
【００６９】
また、課金区分が業務区分ではない、その他の種類の区分である形態でもよい。例えば、課金区分が、部門（又は部署）を表す部門区分である形態でもよい。この場合には、部門毎に課金情報が集計されることになる。
【００７０】
（Ｃ）本実施形態では、区分受付部１１１ｂが表示部１５にユーザＩＤに対応する案件番号が選択可能に表示する場合について説明したが、テンキー等の操作部１４を介して案件番号を入力する形態でもよい。
【００７１】
（Ｄ）本実施形態では、個人認証部１１１ａが、操作部１４及び表示部１５を介してユーザＩＤ及びパスワードを受け付ける場合について説明したが、個人認証部１１１ａが、磁気カード、ＩＣカード、ＩＣタグ等の記憶媒体に格納されたユーザＩＤ及びパスワードの少なくとも一方を複合機１に配設されたカードリーダ等を介して受け付ける形態でもよい。この場合には、ユーザＩＤ及びパスワードの少なくとも一方の入力操作を省略することが可能となり、利便性が向上される。
【図面の簡単な説明】
【００７２】
【図１】本発明に係る複合機と他の装置との接続状態の一例を示す接続図である。
【図２】複合機の一例を示す構成図である。
【図３】制御部の一例を示す機能構成図である。
【図４】課金区分記憶部に格納された課金区分及びユーザＩＤの一例を示す図表である。
【図５】制御部の動作を説明するフローチャートの一例である。
【図６】図５に示すフローチャートのステップＳ１０１、１１１で、それぞれ、表示部に表示されるユーザ受付画面、案件選択画面の画面図の一例である。
【符号の説明】
【００７３】
１  複合機
１１  制御部
１１１  ＣＰＵ
１１１ａ  個人認証部（個人認証手段）
１１１ｂ  区分受付部（区分受付手段）
１１１ｃ  印刷受付部（印刷受付手段）
１１１ｄ  印刷制御部（印刷手段）
１１１ｅ  課金部（課金手段）
１１２  ＲＡＭ
１１２ａ  登録情報記憶部
１１２ｂ  課金区分記憶部（課金区分記憶手段）
【図１】
2006333366.tif 000003
【図２】
2006333366.tif 000004
【図３】
2006333366.tif 000005
【図４】
2006333366.tif 000006
【図５】
2006333366.tif 000007
【図６】
2006333366.tif 000008